(57)【要約】      （修正有）【課題】自動調整機能を有する監視システムおよびその監視方法を提供する。【解決手段】動き検知モジュール１０２および映像処理モジュール１０４を備える。動き検知モジュール１０２は、リアルタイム録画データを検知してリアルタイム録画データが動き状態であるか否かを判断する。リアルタイム録画データが動き状態であるときは、映像処理モジュール１０４は第１の解析度によりリアルタイム録画データを記憶媒体１０８に書き入れる。リアルタイム録画データが動き状態でないときは、映像処理モジュール１０４は、第１の解析度より低い第２の解析度によりリアルタイム録画データを記憶媒体１０８へ書き入れる。【選択図】図１
2006262433.tif 000002
【特許請求の範囲】
【請求項１】
動き検知モジュールおよび映像処理モジュールを少なくとも備える、自動調整機能を有する監視システムであって、
前記動き検知モジュールは、リアルタイム録画データを検知して前記リアルタイム録画データが動き状態であるか否かを判断し、
前記映像処理モジュールは、前記リアルタイム録画データが前記動き状態であるときは、第１の解析度により前記リアルタイム録画データを記憶媒体に書き入れ、前記リアルタイム録画データが前記動き状態でないときは、前記第１の解析度より低い第２の解析度により前記リアルタイム録画データを前記記憶媒体へ書き入れることを特徴とする自動調整機能を有する監視システム。
【請求項２】
前記映像処理モジュールは、第１の圧縮率により前記リアルタイム録画データを圧縮して前記第１の解析度を得て、前記映像処理モジュールは、前記第１の圧縮率より高い第２の圧縮率により前記リアルタイム録画データを圧縮して前記第２の解析度を得ることを特徴とする請求項１記載の自動調整機能を有する監視システム。
【請求項３】
前記映像処理モジュールは、第１のフレームサイズにより前記リアルタイム録画データを圧縮して前記第１の解析度を得て、前記映像処理モジュールは、前記第２のフレームサイズよりも小さい第２のフレームサイズにより前記リアルタイム録画データを圧縮して前記第２の解析度を得ることを特徴とする請求項１記載の自動調整機能を有する監視システム。
【請求項４】
動き検知モジュールおよび映像処理モジュールを少なくとも備える、自動調整機能を有する監視システムであって、
前記動き検知モジュールは、リアルタイム録画データを検知して前記リアルタイム録画データが動き状態であるか否かを判断し、
前記映像処理モジュールは、前記リアルタイム録画データが前記動き状態であるときは、第１のフレームレートにより前記リアルタイム録画データを記憶媒体に書き入れ、前記リアルタイム録画データが前記動き状態でないときは、第１のフレームレートより低い第２のフレームレートにより前記リアルタイム録画データを前記記憶媒体へ書き入れることを特徴とする自動調整機能を有する監視システム。
【請求項５】
リアルタイム録画データを検知すると、前記リアルタイム録画データが動き状態であるか否かを判断するステップと、
前記リアルタイム録画データが前記動き状態であるときは、第１の解析度により前記リアルタイム録画データを記憶媒体に書き入れるステップと、
前記リアルタイム録画データが前記動き状態でないときは、第２の解析度により前記リアルタイム録画データを前記記憶媒体に書き入れるステップとを少なくとも含み、
前記第１の解析度が前記第２の解析度よりも高いことを特徴とする自動調整機能を有する監視方法。
【請求項６】
前記第１の解析度および前記第２の解析度により、前記リアルタイム録画データを前記記憶媒体へ書き入れるステップは、
第１圧縮率により前記リアルタイム録画データを圧縮して前記第１の解析度を得るステップと、
第２圧縮率により前記リアルタイム録画データを圧縮して前記第２の解析度を得るステップとを含み、
前記第１の圧縮率が前記第２の圧縮率よりも低いことを特徴とする請求項５記載の自動調整機能を有する監視方法。
【請求項７】
前記第１の解析度および前記第２の解析度により、前記リアルタイム録画データを前記記憶媒体へ書き入れるステップにおいて、
第１のフレームサイズにより前記リアルタイム録画データを圧縮して前記第１の解析度を得て、
前記第１のフレームサイズより小さい第２のフレームサイズにより前記リアルタイム録画データを圧縮して前記第２の解析度を得る
ことを特徴とする請求項５記載の自動調整機能を有する監視方法。
【請求項８】
リアルタイム録画データを検知すると、前記リアルタイム録画データが動き状態であるか否かを判断するステップと、
前記リアルタイム録画データが前記動き状態であるときは、第１のフレームレートにより前記リアルタイム録画データを記憶媒体に書き入れるステップと、
前記リアルタイム録画データが前記動き状態でないときは、第１のフレームレートより低い第２のフレームレートにより前記リアルタイム録画データを前記記憶媒体に書き入れるステップとを少なくとも含む
ことを特徴とする自動調整機能を有する監視方法。
【発明の詳細な説明】
【技術分野】
【０００１】
本発明は監視システムおよび監視方法に関し、特に自動調整機能を有する監視システムおよびその監視方法に関する。
【背景技術】
【０００２】
従来の監視システムは、録画データ量が非常に多かったため、動き検知（motion detection）技術を利用して記憶媒体（例えば、ハードディスクまたはビデオテープ）の空間を節減していた。つまり、監視システムは、画面に動きがあるときにだけ記憶媒体へ書き込み、残りの時間は画面の再生だけを行い、保存は行わなかった。そのため、この従来の方法では、ある動きや事件が発生する前の監視画面が見逃され、特に犯罪捜査や事故が発生したときに、その直前の録画部分が足りない場合、非常に多くの手がかりが失われることとなった。
【０００３】
もし長時間（例えば連続一ヶ月間など）全ての映像を保存すれば、上述の問題を防ぐことができるが、そうすると保存される録画データは非常に多くなるうえ、録画データの大部分は利用価値がなく、利用価値があるのは一部のデータのみであった。そのため、この方式では記憶媒体が浪費され、後で検索するときの効率も悪かった。
【発明の開示】
【発明が解決しようとする課題】
【０００４】
そのため、上述の問題を解決するため、記憶媒体の空間を節減すると同時に重要な画面を録画することのできる自動調整機能を有する監視システムおよびその監視方法が非常に求められていた。
【０００５】
本発明の第１の目的は、監視画面に動き（motion）がないときに、監視システムは低い解析度を利用して画面を録画し、監視画面に動きが検知されると、監視システムは高い解析度を利用して画面を録画することができる自動調整機能を有する監視システムおよびその監視方法を提供することである。
本発明の第２の目的は、監視画面に動きがないときに、監視システムは低いフレームレートを利用して画面を録画し、監視画面に動きが検知されると、監視システムは高いフレームレートを利用して画面を録画することができる自動調整機能を有する監視システムおよびその監視方法を提供することである。
本発明の第３の目的は、記憶媒体の空間を節減して重要な画面を録画する機能を兼備えた自動調整機能を有する監視システムおよびその監視方法を提供することである。
【課題を解決するための手段】
【０００６】
上述の目的を達成するため、本発明は、自動調整機能を有する監視システムを提供する。本発明の自動調整機能を有する監視システムは、動き検知モジュールおよび映像処理モジュールを備える。
【０００７】
動き検知モジュールは、リアルタイム録画データを検知してリアルタイム録画データが動き状態であるか否かを判断する。リアルタイム録画データが動き状態であるときは、映像処理モジュールは第１の解析度によりリアルタイム録画データを記憶媒体に書き入れる。リアルタイム録画データが動き状態でないときは、映像処理モジュールは第２の解析度によりリアルタイム録画データを記憶媒体へ書き入れる。第１の解析度は第２の解析度よりも高い。
【０００８】
本発明は、自動調整機能を有する監視システムを提供する。本発明の自動調整機能を有する監視システムは、動き検知モジュールおよび映像処理モジュールを備える。
【０００９】
動き検知モジュールは、リアルタイム録画データを検知してリアルタイム録画データが動き状態であるか否かを判断する。リアルタイム録画データが動き状態であるときは、映像処理モジュールは第１のフレームレートによりリアルタイム録画データを記憶媒体に書き入れる。リアルタイム録画データが動き状態でないときは、映像処理モジュールは第２のフレームレートによりリアルタイム録画データを記憶媒体へ書き入れる。第１のフレームレートは第２のフレームレートよりも高い。
【００１０】
また、本発明は自動調整機能を有する監視方法を提供する。本発明の自動調整機能を有する監視方法は、リアルタイム録画データを検知すると、リアルタイム録画データが動き状態であるか否かを判断するステップ、リアルタイム録画データが動き状態であるときは、第１の解析度によりリアルタイム録画データを記憶媒体に書き入れるステップ、および、リアルタイム録画データが動き状態でないときは、第２の解析度によりリアルタイム録画データを記憶媒体に書き入れるステップを含む。第１の解析度は第２の解析度よりも高い。
【００１１】
また、本発明は自動調整機能を有する監視方法を提供する。本発明の自動調整機能を有する監視方法は、リアルタイム録画データを検知すると、リアルタイム録画データが動き状態であるか否かを判断するステップ、リアルタイム録画データが動き状態であるときは、第１のフレームレートによりリアルタイム録画データを記憶媒体に書き入れるステップ、および、リアルタイム録画データが動き状態でないときは、第２のフレームレートによりリアルタイム録画データを記憶媒体に書き入れるステップを含む。第１のフレームレートは第２のフレームレートよりも高い。
【発明の効果】
【００１２】
本発明は少なくとも以下の長所を備え、それぞれの実施形態は一つ以上の長所を有する。本発明の監視システムおよび監視方法は、監視画面に動きがないとき、監視システムは低い解析度または低いフレームレートにより画面を録画し、監視画面が動きを検知すると、高い解析度または高いフレームレートにより画面を録画する。そのため、本発明の監視システムおよび監視方法は、記憶媒体の空間を節減して重要な画面を録画する機能を兼備えることができる。
【発明を実施するための最良の形態】
【００１３】
図１は、本発明の一実施形態を示す模式図である。図１に示すように、自動調整機能を有する監視システム１００は、動き検知モジュール１０２および映像処理モジュール１０４を含む。カメラ１０７は、監視を行う場所を撮影してリアルタイム録画データ１０６を生成する。動き検知モジュール１０２は、リアルタイム録画データ１０６を検知して、リアルタイム録画データ１０６が動作状態であるか否かを判断する。
【００１４】
リアルタイム録画データ１０６が動作状態であるとき、映像処理モジュール１０４は、第１の解析度によりリアルタイム録画データ１０６を記憶媒体１０８へ書き入れる。リアルタイム録画データ１０６が動作状態でないとき、映像処理モジュール１０４は、第２の解析度によりリアルタイム録画データ１０６を記憶媒体１０８へ書き入れる。ここで第１の解析度は第２の解析度よりも高い。
【００１５】
つまり、監視録画を行うとき、２４時間全ての時間帯を高解析度で録画する必要はなく、動きが検知されたときにだけ高解析度の録画を行って、動きを検知しないときには低解析度の録画を行うことができる。このように、録画に必要な記憶媒体空間を節減することができる。
【００１６】
本実施形態において、映像処理モジュール１０４は、第１の圧縮率によりリアルタイム録画データ１０６を圧縮して第１の解析度を得る。映像処理モジュール１０４は、第２の圧縮率によりリアルタイム録画データを圧縮して第２の解析度を得る。ここで第１の圧縮率は第２の圧縮率よりも低い。
【００１７】
つまり、監視システム１００が動きを全く検知しないとき、監視システム１００は、高い圧縮率によりリアルタイム録画データ１０６を圧縮する。監視システム１００が動きを検知すると、監視システム１００は低い圧縮率によりリアルタイム録画データ１０６を圧縮する。高い圧縮率とは低い画面品質を示し、低い圧縮率とは高い画面品質を示す。そのため、第１の解析度は第２の解析度よりも高い。本実施形態の監視システム１００は、動きを自動的に判定して圧縮率を自動調整することができるため、記憶媒体の空間を節減して動きが発生した画面を詳細に記録することができる長所を兼ね備える。
【００１８】
他の実施形態の映像処理モジュール１０４は、第１のフレームサイズによりリアルタイム録画データ１０６を圧縮して第１の解析度を得る。映像処理モジュール１０４は、第２のフレームサイズによりリアルタイム録画データ１０６を圧縮して第２の解析度を得る。ここで第１のフレームサイズは第２のフレームサイズよりも大きい。
【００１９】
例を挙げると、監視システム１００が全く動きを検知しない場合、映像処理モジュール１０４は、３５２×２８８の解析度により録画を行い、監視システム１００が動きを検知すると、映像処理モジュール１０４は６４０×４８０の解析度により録画を行う。そして、監視システム１００が動きを検知すると、クリアな映像で録画し、動きが検知されないときにはクリアでない映像で録画することにより、記憶媒体１０８の空間を節減することができる。前述の記憶媒体１０８は、例えばハードディスクである。本実施形態の監視システム１００は、動きを自動的に判定してフレームサイズを自動調整することにより、記憶媒体の空間を節減して動きが発生した画面を詳細に記録することができる長所を兼ね備える。
【００２０】
本実施形態において、リアルタイム録画データ１０６が動き状態のとき、映像処理モジュール１０４は第１のフレームレートによりリアルタイム録画データ１０６を記憶媒体１０８へ書き込む。リアルタイム録画データ１０６が動き状態でないとき、映像処理モジュール１０４は第２のフレームレートによりリアルタイム録画データ１０６を記憶媒体１０８へ書き込む。ここで第１のフレームレートは第２のフレームレートよりも高い。
【００２１】
たとえば、動き検知モジュール１０２がリアルタイム録画データ１０６の動きを検知しないとき、監視システム１００は毎秒１フレームの速度でリアルタイム録画データ１０６を録画することにより、記憶媒体１０８の空間を節減する。そして、動き検知モジュール１０２がリアルタイム録画データ１０６の動きを検知した場合、監視システム１００は毎秒３０フレームの速度でリアルタイム録画データ１０６を録画するため、この時に発生した事件は詳細に記録される。本実施形態の監視システム１００は、動きを自動的に判定してフレームを自動調整することができるため、記憶媒体の空間を節減して動きが発生した画面を詳細に記録することができる長所を兼ね備える。
【００２２】
図２は、本発明の一実施形態による監視システムを示すタイムチャートである。図２に示すように、録画モード２００中の時間帯２０２は、監視システム１００が動きを全く検知していない状態を示す。そのため監視システム１００は、低いフレームレート、低い解析度、高い圧縮率または小さいフレームにより時間帯２０２を録画する。時間帯２０４は、監視システム１００が画面に動きを検知したことを示す。そのため監視システム１００は、高いフレームレート、高い解析度、低い圧縮率または大きい画面により時間帯２０４を録画する。
【００２３】
録画モード２０１中の時間帯２０２は、監視システム１００が動きを全く検知していない状態を示す。そのため監視システム１００は、低いフレームレート、低い解析度、高い圧縮率または小さいフレームにより時間帯２０２を録画する。時間帯２０６、２０８、２１０は、監視システム１００が画面の動きを検知したことを示すが、その動きの幅はそれぞれ異なる。従って、監視システム１００は、時間帯２０６、２０８、２１０のそれぞれに対してフレームレート、解析度、圧縮率またはフレームサイズの大きさに合わせて異なる動きの幅で対応する。これら異なる動きの幅と画面の調整とは、ハードウェアやソフトウェアを利用して達成することができる。
【００２４】
本実施形態は、自動調整機能を有する監視方法を提供する。図３は、本発明の一実施形態による監視方法を示す流れ図である。図３に示すように、本実施形態の監視方法は以下のステップを含む。リアルタイム録画データを検知すると、このリアルタイム録画データが動き状態であるか否かを判断する（ステップ３０２）。そして、リアルタイムデータが動き状態であるときは、第１の解析度によりこのリアルタイム録画データを記憶媒体へ書き込む（ステップ３０４）。リアルタイム録画データが動き状態でないときは、第２の解析度によりこのリアルタイム録画データを記憶媒体へ書き込む（ステップ３０６）。録画過程においては、この動き検知を繰り返して行う。ここで第１の解析度は第２の解析度よりも高い。
【００２５】
本実施形態は、もう一つの自動調整機能を有する監視方法を提供する。図４は、本発明の一実施形態による監視方法を示す流れ図である。図４に示すように、本実施形態の監視方法は以下のステップを含む。リアルタイム録画データを検知すると、このリアルタイム録画データが動き状態であるか否かを判断する（ステップ４０２）。このリアルタイム録画データが動き状態であるときは、第１のフレームレートによりこのリアルタイム録画データを記憶媒体へ書き込む（ステップ４０４）。リアルタイム録画データが動き状態でないときは、第２のフレームレートによりこのリアルタイム録画データを記憶媒体へ書き込む（ステップ４０６）。ここで第１のフレームレートは第２のフレームレートよりも高い。図３および図４に示す実施形態は、図１および図２に示す実施形態と同様であるため、ここでは繰り返して述べない。
【００２６】
本発明は少なくとも以下の長所を備え、それぞれの実施形態は一つ以上の長所を有する。本発明の監視システムおよび監視方法は、監視画面に動きがないとき、監視システムは、低い解析度や低いフレームレートにより画面を録画し、監視画面が動きを検知すると、高い解析度または高いフレームレートにより画面を録画する。そのため、本発明の監視システムおよび監視方法は、記憶媒体の空間を節減して重要な画面を録画する機能を兼備えることができる。
【００２７】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２８】
【図１】本発明の一実施形態による監視システムを示す模式図である。
【図２】本発明の一実施形態による監視システムを示すタイムチャートである。
【図３】本発明の一実施形態による監視方法を示す流れ図である。
【図４】本発明の一実施形態による監視方法を示す流れ図である。
【符号の説明】
【００２９】
１００  監視システム、    １０２  動き検知モジュール、    １０４  映像処理モジュール、    １０６  リアルタイム録画データ、    １０７  カメラ、    １０８  記憶媒体、    ２００、２０１  録画モード、    ２０２、２０４、２０６、２０８、２１０  時間帯
【図１】
2006262433.tif 000003
【図２】
2006262433.tif 000004
【図３】
2006262433.tif 000005
【図４】
2006262433.tif 000006